(57)【要約】【課題】従来の映像表示装置は、映像信号の処理に係るブロックでの輝度制御と、映像信号の表示に係るブロックでの輝度制御とが独立して行われていた。【解決手段】この発明の映像表示装置は、映像信号処理部から出力された映像信号が入力され、映像信号の輝度を制御する第１の映像信号輝度制御部と、前記第１の映像信号輝度制御部から出力された映像信号の輝度を制御する第２の映像信号輝度制御部と、前記第２の映像信号輝度制御部から出力された映像信号が映像として表示される映像表示部と、前記映像表示部で表示される映像の映像平均レベルを検出し前記第１の映像信号輝度制御部および前記第２の映像信号輝度制御部へ出力する映像平均レベル検出部を備え、前記第１の映像信号輝度制御部および前記第２の映像信号輝度制御部はそれぞれ入力された前記映像平均レベルに応じて映像信号の輝度を制御して出力するように構成している。【選択図】　図２
2004029484.tif 000002
【特許請求の範囲】
【請求項１】
入力された映像信号の映像変換を行い出力する映像信号処理部と、
前記映像信号処理部から出力された映像信号が入力され、映像信号の輝度を制御して出力する第１の映像信号輝度制御部と、
前記第１の映像信号輝度制御部から出力された映像信号が入力され、映像信号の輝度を制御して出力する第２の映像信号輝度制御部と、
前記第２の映像信号輝度制御部から出力された映像信号が入力され映像が表示される映像表示部と、
前記映像表示部で表示される映像の映像平均レベルを検出し、前記第１の映像信号輝度制御部および前記第２の映像信号輝度制御部へ出力する映像平均レベル検出部とを備え、前記第１の映像信号輝度制御部および前記第２の映像信号輝度制御部はそれぞれ入力された前記映像平均レベルに応じて映像信号の輝度を制御して出力することを特徴とした映像表示装置。
【請求項２】
前記第１の映像信号輝度制御部は前記映像信号処理部と一体に設けられ、前記第２の映像信号輝度制御部および前記映像平均レベル検出部は前記映像表示部と一体に設けられ、前記第１の映像信号輝度制御部および前記第２の映像信号輝度制御部はそれぞれ入力された前記映像平均レベルに応じて映像信号の輝度を制御して出力することを特徴とした請求項１に記載の映像表示装置。
【請求項３】
入力された映像信号の映像変換を行い出力する映像信号処理手段と、
前記映像信号処理手段から出力された映像信号が入力され、映像信号の輝度を制御して出力する第１の映像信号輝度制御手段と、
前記第１の映像信号輝度制御手段から出力された映像信号が入力され、映像信号の輝度を制御して出力する第２の映像信号輝度制御手段と、
前記第２の映像信号輝度制御手段から出力された映像信号が入力され映像が表示される映像表示手段と、
前記映像表示手段で表示される映像の映像平均レベルを検出し、前記第１の映像信号輝度制御手段および前記第２の映像信号輝度制御手段へ出力する映像平均レベル検出手段とを備えることを特徴とした映像表示方法。
【請求項４】
入力された映像信号の映像変換を行い出力する映像信号処理部と、
前記映像信号処理部から出力された映像信号が入力され、入力された映像信号の輝度を制御して出力する映像信号輝度制御部と、
前記映像信号輝度制御部から出力された映像信号が入力され映像が表示される映像表示部と、
前記映像表示部で表示される映像の映像平均レベルを検出して出力する映像平均レベル検出部と、
前記映像平均レベル検出部から出力された映像平均レベルが入力され、この映像平均レベルに応じた輝度を算出して出力する輝度算出部とを備え、前記映像信号輝度制御部は前記輝度算出部から出力された算出輝度に応じて入力された映像信号の輝度を制御して出力することを特徴とした映像表示装置。
【請求項５】
前記映像信号輝度制御部および前記映像平均レベル検出部は前記映像表示部と一体に設けられ、前記映像信号輝度制御部は前記輝度算出部から出力された算出輝度に応じて入力された映像信号の輝度を制御して出力することを特徴とした請求項４に記載の映像表示装置。
【請求項６】
入力された映像信号の映像変換を行い出力する映像信号処理手段と、
前記映像信号処理手段から出力された映像信号が入力され、映像信号の輝度を制御して出力する映像信号輝度制御手段と、
前記映像信号輝度制御手段から出力された映像信号が入力され映像が表示される映像表示手段と、
前記映像表示手段で表示される映像の映像平均レベルを検出して出力する映像平均レベル検出手段と、
前記映像平均レベル検出手段から出力された映像平均レベルが入力され、この映像平均レベルに応じた輝度を算出して出力する輝度算出手段とを備え、前記映像信号輝度制御手段は前記輝度算出手段から出力された算出輝度に応じて入力された映像信号の輝度を制御して出力することを特徴とした映像表示方法。
【請求項７】
入力された映像信号の映像変換を行い出力する映像信号処理部と、
前記映像信号処理部から出力された映像信号が入力され、映像信号の輝度を制御して出力する第１の映像信号輝度制御部と、
前記映像信号処理部から出力された映像信号が入力され、映像平均レベルを検出して出力する第１の映像平均レベル検出部と、
前記第１の映像平均レベル検出部から出力された映像平均レベルが入力され、この映像平均レベルに応じた輝度を算出し、前記第１の映像信号輝度制御部を制御する輝度算出部と、
前記第１の映像信号輝度制御部から出力された映像信号が入力され、映像信号の輝度を制御して出力する第２の映像信号輝度制御部と、
前記第２の映像信号輝度制御部から出力された映像信号が入力され映像が表示される映像表示部と、
前記映像表示部で表示される映像の映像平均レベルを検出し、前記輝度算出部および前記第２の映像信号輝度制御部へ出力する第２の映像平均レベル検出部とを備え、前記第２の映像信号輝度制御部は入力された前記映像平均レベルに応じて映像信号の輝度を制御して出力し、前記第１の映像信号輝度制御部は前記輝度算出部の制御によって映像信号の輝度を制御して出力することを特徴とした映像表示装置。
【請求項８】
前記第１の映像信号輝度制御部、第１の映像平均レベル検出部、第１の映像平均レベル検出部および輝度算出部は前記映像信号処理部と一体に設けられ、前記第２の映像信号輝度制御部および前記映像平均レベル検出部は前記映像表示部と一体に設けられ、前記第２の映像信号輝度制御部は入力された前記映像平均レベルに応じて映像信号の輝度を制御して出力し、前記第１の映像信号輝度制御部は前記輝度算出部の制御によって映像信号の輝度を制御して出力することを特徴とした映像表示装置。
【請求項９】
入力された映像信号の映像変換を行い出力する映像信号処理手段と、
前記映像信号処理手段から出力された映像信号が入力され、映像信号の輝度を制御して出力する第１の映像信号輝度制御手段と、
前記映像信号処理手段から出力された映像信号が入力され、映像平均レベルを検出して出力する第１の映像平均レベル検出手段と、
前記第１の映像平均レベル検出手段から出力された映像平均レベルが入力され、この映像平均レベルに応じた輝度を算出し、前記第１の映像信号輝度制御手段を制御する輝度算出手段と、
前記第１の映像信号輝度制御手段から出力された映像信号が入力され、映像信号の輝度を制御して出力する第２の映像信号輝度制御手段と、
前記第２の映像信号輝度制御手段から出力された映像信号が入力され映像が表示される映像表示手段と、
前記映像表示手段で表示される映像の映像平均レベルを検出し、前記輝度算出手段および前記第２の映像信号輝度制御手段へ出力する第２の映像平均レベル検出手段とを備えることを特徴とした映像表示方法。
【発明の詳細な説明】
【０００１】
【発明の属する技術分野】
この発明は表示装置へ映像を表示する技術に係り、特にパルス幅駆動方式を用いてフラットパネル表示装置等に映像を表示する技術に関する。
【０００２】
【従来の技術】
図７は従来の映像表示装置を示す図である。
【０００３】
符号１１は映像信号の処理に係るブロックである。符号１２は映像信号の表示に係るブロックである。
【０００４】
符号１は映像処理部である。映像処理部１には図示しないアンテナで受信された映像信号が入力され、映像処理が行われ出力される。符号２２は映像処理部１から出力された映像信号の輝度を制御する輝度制御部（ＡＧＣ１）である。符号３１はＡＰＬ（アベレージ・ピクチャー・レベル）検出回路である。ＡＰＬ検出回路３１は、暗い映像では小さい値を出力し、明るい画面では大きな値を出力する。映像信号の処理に係るブロック１１には映像処理部１、輝度制御部２２、ＡＰＬ検出回路３１が設けられている。
【０００５】
符号２１は輝度制御部（ＡＧＣ）である。符号３２はＡＰＬ検出回路である。符号６はマトリックス・ディスプレイ・パネルである。符号７はパネル用電源回路であり、マトリックス・ディスプレイ・パネル６及びＸドライバー回路４、Ｙドライバー回路５に電力を供給し、映像が表示される。映像信号の表示に係るブロック１２には、輝度制御部２１、ＡＰＬ検出回路３２、マトリックス・ディスプレイ・パネル６、パネル用電源回路７は、Ｘドライバー回路４、Ｙドライバー回路５が設けられている。
【０００６】
従来の映像表示装置においては、例えば、明るい映像（全面白）を表示する場合は、映像平均レベルＡＰＬ検出回路３２が、平均レベルが高いとの判定を出力すると、輝度制御部２１はその情報を受け、映像の振幅を絞る働きをしていた。これによりマトリックス・パネル６に表示される映像の輝度が絞られ、パネル用電源回路７から供給する電力を一定値以下に抑えるように構成されていた。
【０００７】
【発明が解決しようとする課題】
しかしながら、従来の映像表示装置においては、映像信号の処理に係るブロック１１に設けられた輝度制御部２１と、映像信号の表示に係るブロック１２に設けられた輝度制御部２１とがそれぞれ独立して、映像のレベルを制御していた。
【０００８】
このような構成においては、例えば、明るい映像が入力された場合は映像平均レベルＡＰＬ検出回路３１の働きにより、輝度制御部２２が映像のレベルを下げるように動作する。しかし、映像のレベルが下がるので、映像平均レベルＡＰＬ検出回路３２は、平均レベルが下がったと判断し、輝度制御部２１でのレベルを上げる動作を行う。このため、両者が逆の動作を同時に行うということが起こるため、映像のレベルを所望のレベルに制御することは困難であるという問題があった。
【０００９】
例えば特開２０００−３３０５０５号には、表示装置の表示画面の輝度やコントラストの確保と消費電力制御を効率良く行うことを目的とし、入力された映像信号の平均輝度レベルを求め、またシーンチェンジが検出された場合に、前記平均輝度レベルに基づいて表示装置に適する表示輝度レベル制御を行う技術が提案されている。しかしながらこの提案においては、映像信号の処理に係る輝度制御と、映像信号の表示に係る輝度制御とがそれぞれ独立して、映像のレベルを制御していた。また、特開２００１−２８２１７６号には、消費電力を制御すると共に、ピーク輝度を再現して表示画面の品位を飛躍的に向上させることを目的とし、映像信号の表示に係る輝度制御においてマトリクスパネルに表示される表示画像の平均輝度を検出し、検出された平均輝度に基づいてマトリクスパネルの表示を制御する技術が提案されている。しかしながらこの提案においては、映像信号の処理に係る輝度制御が提案されていない。したがって、上記提案は、実用的な意味でまだ充分であるとは言えなかったのが実情である。
【００１０】
【課題を解決するための手段】
この発明の映像表示装置は、入力された映像信号の映像変換を行い出力する映像信号処理部と、前記映像信号処理部から出力された映像信号が入力され、映像信号の輝度を制御して出力する第１の映像信号輝度制御部と、前記第１の映像信号輝度制御部から出力された映像信号が入力され、映像信号の輝度を制御して出力する第２の映像信号輝度制御部と、前記第２の映像信号輝度制御部から出力された映像信号が入力され映像が表示される映像表示部と、前記映像表示部で表示される映像の映像平均レベルを検出し、前記第１の映像信号輝度制御部および前記第２の映像信号輝度制御部へ出力する映像平均レベル検出部とを備え、前記第１の映像信号輝度制御部および前記第２の映像信号輝度制御部はそれぞれ入力された前記映像平均レベルに応じて映像信号の輝度を制御して出力するように構成している。
【００１１】
またこの発明に係る映像表示方法は、入力された映像信号の映像変換を行い出力する映像信号処理手段と、前記映像信号処理手段から出力された映像信号が入力され、映像信号の輝度を制御して出力する第１の映像信号輝度制御手段と、前記第１の映像信号輝度制御手段から出力された映像信号が入力され、映像信号の輝度を制御して出力する第２の映像信号輝度制御手段と、前記第２の映像信号輝度制御手段から出力された映像信号が入力され映像が表示される映像表示手段と、前記映像表示手段で表示される映像の映像平均レベルを検出し、前記第１の映像信号輝度制御手段および前記第２の映像信号輝度制御手段へ出力する映像平均レベル検出手段とを備えるように構成している。
【００１２】
【発明の実施の形態】
図面を参照してこの発明の実施の形態を説明する。
【００１３】
図１はこの発明に係る映像表示装置の概観図である。
【００１４】
符号１０は放送受信部である。放送受信部１０では放送（アナログ地上波放送、ＢＳデジタル放送、ＣＳデジタル放送、地上波デジタル放送、あるいはインターネット放送等）を受信し復調して映像信号を出力する。ここではアナログ地上波放送を受信した例を用いている。符号１１は映像処理を行う映像処理ブロック（駆動回路）である。映像処理ブロック（駆動回路）１１では放送受信部１０から出力された映像信号が入力され、輪郭強調処理処理や解像度変換等の映像処理が行われた映像信号が出力される。符号１２は映像の表示を行う映像表示ブロック（パネルモジュール）である。映像表示ブロック（パネル・モジュール）１２では映像処理ブロック（駆動回路）１１から出力された映像信号が入力され、映像が表示される。
（この発明に係る第１の実施の形態）
図２はこの発明に係る映像表示装置の、第１の実施の形態に係る構成図である。
【００１５】
符号１は映像処理部である。映像処理部１には、上記のように放送受信部１０から出力された映像信号が入力され、輪郭強調処理処理や解像度変換等の映像処理が行われ、映像処理が行われた映像信号が出力される。符号２２は輝度制御部（ＡＧＣ１）である。テレビセットにおいてはＡＢＬなどと呼ばれることもある。輝度制御部２２には映像処理部１から出力された映像処理が行われた映像信号が入力され、映像処理ブロック（駆動回路）１１側で輝度が制御された映像信号が出力される。映像処理部１および輝度制御部２２は図１で説明した映像処理ブロック（駆動回路）１１として構成されている。
【００１６】
符号２１は輝度制御部（ＡＧＣ２）である。輝度制御部２１は輝度制御部２２から輝度が制御され出力された映像信号が入力され、映像表示ブロック（パネル・モジュール）側で輝度が制御された映像信号が出力される。
【００１７】
符号６は例えばプラズマ・ディスプレイ等の、縦横に多数の配線を直行させたマトリックス・ディスプレイ・パネルである。マトリックス・ディスプレイ・パネル６の一例として、例えばプラズマ画素が横方向に８５３画素、縦方向に４８０画素設けられ、ＮＴＳＣの映像を表示可能とするものがある。実際は、１画素は赤、緑、青の３ドットで形成されており、横方向に２５５９ドット形成されている。
【００１８】
符号４はマトリックス・ディスプレイ・パネル６の縦方向の信号電極に画素毎の映像信号を供給するＸドライバー回路である。符号５はマトリックス・ディスプレイ・パネル６の横方向の信号電極に１水平走査期間毎に書き込みパルスを供給するＹドライバー回路である。Ｘドライバー回路４およびＹドライバー回路５は輝度制御部２１から出力された映像信号が入力され、マトリックス・ディスプレイ・パネル６へ映像を表示する。
【００１９】
符号７はパネル用電源回路である。パネル用電源回路７は、マトリックス・ディスプレイ・パネル６及びＸドライバー回路４、Ｙドライバー回路５が動作し、映像を表示するために使用される電力を供給する。マトリックス・ディスプレイ・パネル６の消費電力はパネル用電源回路７で検出される。現在の技術において、プラズマ・ディスプレイでは、この消費電力が３００Ｗから１ＫＷにもおよぶことがある。
【００２０】
符号３はＡＰＬ検出回路（アベレージ・ピクチャー・レベル検出回路）である。ＡＰＬ検出回路３はパネル用電源回路７に接続されており、消費電力に基づいてマトリックス・ディスプレイ・パネル６に表示される映像の映像平均レベルを検出する。ＡＰＬ検出回路３では映像信号の１画面（フレーム）分の平均レベルを所定の演算等を行って求めることができる。ここで検出される映像平均レベルは、全体に暗い映像では小さい値となり、明るい画面では大きな値となる。
【００２１】
ＡＰＬ検出回路３で検出された映像平均レベルの値は輝度制御部２２へ出力される。輝度制御部２２では入力された映像平均レベルの値に応じて映像処理部１から入力された映像信号の輝度を制御して出力する。また、ＡＰＬ検出回路３で検出された映像平均レベルの値は輝度制御部２１へ出力される。輝度制御部２１は同様に、輝度制御部２２から入力された映像信号の輝度を制御して出力する。
【００２２】
この発明の実施の形態においては、映像表示ブロック（パネル・モジュール）では、上記のようにＡＰＬ検出回路３で映像平均レベルを検出し、この映像平均レベルが高いと判定された場合は輝度制御部２１を制御し、映像のレベルを下げる処理を施して、消費電力の抑制、電源回路の保護等を実現することができる。また、同様に、その情報を駆動回路側の輝度制御部２２にも渡すことで、映像処理ブロック（駆動回路）１１においても映像表示ブロック（パネル・モジュール）１２のディスプレイパネルの輝度がどの程度に絞られているかを知ることができ、映像処理ブロック（駆動回路）１１から映像表示ブロック（パネル・モジュール）１２へ出力する映像信号を制御することができる。このため、輝度制御部２２において、テレビの絵作りとして適当となるように輝度を制御し、出力することが可能になる。
（この発明に係る第２の実施の形態）
図３はこの発明に係る映像表示装置の、第２の実施の形態に係る構成図である。第１の実施の形態と同一の構成については同一の符号を付して説明を省略する。
【００２３】
映像処理部１には、放送受信部１０から出力された映像信号が入力され、輪郭強調処理処理や解像度変換等の映像処理が行われ、映像処理が行われた映像信号が出力される。輝度制御部２１（ＡＧＣ）には映像処理部１から出力された映像信号が入力される。輝度制御部２１では、入力された映像信号の輝度が制御され、映像信号が出力される。
【００２４】
上記のように、Ｘドライバー回路４およびＹドライバー回路５は輝度制御部２１から出力された映像信号が入力され、マトリックス・ディスプレイ・パネル６へ映像を表示する。パネル用電源回路７は、マトリックス・ディスプレイ・パネル６及びＸドライバー回路４、Ｙドライバー回路５が動作し、映像を表示するために使用される電力を供給する。ＡＰＬ検出回路３は消費電力に基づいてマトリックス・ディスプレイ・パネル６に表示される映像の映像平均レベルを検出する。
【００２５】
符号２３は輝度算出部である。ＡＰＬ検出回路３で検出された映像平均レベルの値は映像処理ブロック（駆動回路）１１に設けられた輝度算出部２３へ出力される。
【００２６】
輝度算出部２３では映像信号の輝度をどの程度絞るかを算出し、映像表示ブロック（パネル・モジュール）１２に設けられた輝度制御部２１を制御する。
【００２７】
輝度制御部２１では、輝度算出部２３の制御に応じ、入力された映像信号の輝度が制御され、映像信号が出力され、上記のようにマトリックス・ディスプレイ・パネル６に映像が表示される。
【００２８】
この発明の実施の形態においては、映像処理ブロック（駆動回路）１１に設けられた輝度算出部２３において、映像表示ブロック（パネル・モジュール）１２における輝度の制御状態を知り、映像表示ブロック（パネル・モジュール）１２に設けられた輝度制御部２１を制御することができるので、映像処理ブロック（駆動回路）１１および映像表示ブロック（パネル・モジュール）１２を含む、セット全体としての輝度レベルを制御することが可能となる。
（この発明に係る第３の実施の形態）
図４はこの発明に係る映像表示装置の、第３の実施の形態に係る構成図である。上記第１および第２の実施の形態と同一の構成については同一の符号を付して説明を省略する。
【００２９】
映像処理部１には、放送受信部１０から出力された映像信号が入力され、輪郭強調処理処理や解像度変換等の映像処理が行われ、映像処理が行われた映像信号が出力される。
【００３０】
符号３２はＡＰＬ検出装置である。ＡＰＬ検出装置３２には映像処理部１から出力された映像信号が入力され、テレビ用信号処理を行う駆動回路内の映像処理回路１の出力レベルを用いて、映像の平均レベル（映像平均レベル）を検出して出力する。
【００３１】
符号２３は輝度算出部である。ＡＰＬ検出回路３２から出力された映像平均レベルの値は輝度算出部２３へ入力され、適切な輝度の値が算出されて出力される。
【００３２】
符号２２は輝度制御部（ＡＧＣ１）である。輝度制御部２２には映像処理部１から出力された映像処理が行われた映像信号が入力される。また、輝度算出部２３から出力された適切な輝度の値が入力される。輝度制御部２２は輝度算出部２３から入力された適切な輝度の値に応じて、映像処理部１から入力された映像信号の輝度を制御して出力する。
【００３３】
映像処理部１、ＡＰＬ検出装置３２、輝度算出部２３、輝度制御部（ＡＧＣ１）２２は映像処理ブロック（駆動回路）１１に設けられている。
【００３４】
輝度制御部２１（ＡＧＣ２）には輝度制御部２２から出力された映像信号が入力される。輝度制御部２１では、入力された映像信号の輝度が制御され、映像信号が出力される。
【００３５】
上記のように、Ｘドライバー回路４およびＹドライバー回路５は輝度制御部２１から出力された映像信号が入力され、マトリックス・ディスプレイ・パネル６へ映像を表示する。パネル用電源回路７は、マトリックス・ディスプレイ・パネル６及びＸドライバー回路４、Ｙドライバー回路５が動作し、映像を表示するために使用される電力を供給する。
【００３６】
符号３１は映像表示ブロック（パネル・モジュール）に設けられるＡＰＬ検出回路である。ＡＰＬ検出回路３１は消費電力に基づいてマトリックス・ディスプレイ・パネル６に表示される映像の映像平均レベルを検出して出力する。
【００３７】
ＡＰＬ検出回路３１で検出された映像平均レベルの値は輝度算出部２３へ出力される。輝度算出部２３では入力された映像平均レベルの値に応じて適切な輝度の値を算出して出力する。輝度算出部２３から出力された適切な輝度の値は、上記のように、映像処理部１から入力された映像信号の輝度を制御して出力する。また、ＡＰＬ検出回路３１で検出された映像平均レベルの値は輝度制御部２１へ入力される。輝度制御部２１は同様に、輝度制御部２２から入力された映像信号の輝度を制御して出力する。
【００３８】
図５は映像表示ブロック（パネル・モジュール）１２の特性を示す図である。
【００３９】
ここでは、縦軸がゲインを示し、最大輝度を１．０として規格化して示している。横軸は入力信号の平均レベルＡＰＬである。
【００４０】
図６はこの発明の実施の形態に係る、セット全体の輝度特性を示す図である。
【００４１】
図５および図６を比較すると、パネル・モジュールの特性が図５の様になっているのに対し、セット全体（（映像処理ブロック（駆動回路）１１および映像表示ブロック（パネル・モジュール）１２）を含む）では図６に示すように省電力を実現する消費電力特性になっている。
【００４２】
このように、映像処理ブロック（駆動回路）１１側で映像表示ブロック（パネル・モジュール）１２側の状態を知ることで、トータルの特性を制御することができる。
【００４３】
この発明の実施の形態においては、映像処理ブロック（駆動回路）１１に設けられた輝度算出部２３において、映像表示ブロック（パネル・モジュール）１２における輝度の制御状態を知り、映像表示ブロック（パネル・モジュール）１２に設けられた輝度制御部２１を制御することができるので、セット全体としての輝度レベルを制御することが可能となる。
【００４４】
【発明の効果】
上記説明したように、この発明の実施の形態においては、映像処理ブロックに設けられた輝度算出部において、映像表示ブロックにおける輝度の制御状態を知り、映像表示ブロックに設けられた輝度制御部を制御することができるので、セット全体としての輝度レベルを制御することが可能となる。このため、テレビセットの絵作りとして適切な輝度特性を得つつ消費電力の省力化を実現することができる。
【図面の簡単な説明】
【図１】この発明に係る映像表示装置の概観図。
【図２】この発明に係る映像表示装置の、第１の実施の形態に係る構成図。
【図３】この発明に係る映像表示装置の、第２の実施の形態に係る構成図。
【図４】この発明に係る映像表示装置の、第３の実施の形態に係る構成図。
【図５】映像表示ブロック（パネル・モジュール）の特性を示す図。
【図６】この発明の実施の形態に係る、セット全体の輝度特性を示す図。
【図７】従来の映像表示装置を示す図。
【符号の説明】
１　…　映像処理部
３　…　ＡＰＬ検出回路
４　…　Ｘドライバー回路
５　…　Ｙドライバー回路
６　…　マトリックス・ディスプレイ・パネル
７　…　はパネル用電源回路
１０　…　放送受信部
１１　…　映像処理ブロック（駆動回路）
１２　…　映像表示ブロック（パネル・モジュール）
２１　…　輝度制御部（ＡＧＣ２）
２２　…　輝度制御部（ＡＧＣ１）
２３　…　輝度算出部
３１　…　ＡＰＬ検出回路
３２　…　ＡＰＬ検出装置
【図１】
2004029484.tif 000003
【図２】
2004029484.tif 000004
【図３】
2004029484.tif 000005
【図４】
2004029484.tif 000006
【図５】
2004029484.tif 000007
【図６】
2004029484.tif 000008
【図７】
2004029484.tif 000009